(57)【要約】【課題】  ジェルネイルのネイル施術時に扱い易く、塗布するネイル剤の色を決定するのに好適なネイルカラー見本帳を提供する。【解決手段】  ネイルカラー見本帳１は、複数枚の見本帳本体２と、見本帳本体２をひとつに束ねる結束手段とを有する。見本帳本体２には、ネイルカラーの見本色を示す複数の表示部５が備えられる。表示部５は、人の爪形状を模した形を有しており、爪形状の根元側が見本帳本体２の辺縁部に接して配置される。また、表示部５は、爪形状の長さ方向の中心線が辺縁部の稜線に対して一方向に傾くように配置されている。【選択図】  図１
2017189443.tif 000002
【特許請求の範囲】
【請求項１】
ネイルカラーを表示したネイルカラー見本帳であって、
シート状の複数の見本帳本体と、前記複数の見本帳本体をひとつに束ねる結束手段とを有し、
前記見本帳本体には、ネイルカラーの見本色を示す複数の表示部が備えられ、前記表示部は人の爪形状を模した形を有しており、前記見本帳本体の辺縁部に沿って複数の表示部が並べられてなることを特徴とするネイルカラー見本帳。
【請求項２】
請求項１に記載のネイルカラー見本帳において、
前記表示部は、爪形状の根元側が前記見本帳本体の辺縁部に接して配置されるとともに長さ方向の中心線が前記辺縁部の稜線に対して傾くように配置されていることを特徴とするネイルカラー見本帳。
【請求項３】
請求項１または２に記載のネイルカラー見本帳において、
前記表示部は、前記見本帳本体の表面側に凸状に設けられており、該表示部の裏面側に指先があてがわれる凹部を備えることを特徴とするネイルカラー見本帳。
【請求項４】
請求項１〜３のいずれか一つの請求項に記載のネイルカラー見本帳において、
前記見本帳本体は地の部分が透明または半透明とされたことを特徴とするネイルカラー見本帳。
【請求項５】
請求項１〜４のいずれか一つの請求項に記載のネイルカラー見本帳において、
前記見本帳本体には、１シートごとに同一色相または類似色相についての異なる明度色を示す表示部が並べられてなることを特徴とするネイルカラー見本帳。
【請求項６】
請求項１〜４のいずれか一つの請求項に記載のネイルカラー見本帳において、
前記見本帳本体には、１シートごとに同一色相または類似色相についての異なる彩度色を示す表示部が並べられてなることを特徴とするネイルカラー見本帳。
【請求項７】
請求項１〜４のいずれか一つの請求項に記載のネイルカラー見本帳において、
前記見本帳本体には、１シートごとに同一色相または類似色相についての異なるトーン色を示す表示部が並べられてなることを特徴とするネイルカラー見本帳。
【請求項８】
請求項１〜４のいずれか一つの請求項に記載のネイルカラー見本帳において、
前記見本帳本体には、１シートごとに同一の明度または彩度についての異なる色相を示す表示部が並べられ、
前記複数の見本帳本体は、前記１シートごとの表示部の明度または彩度の高低順に重ねて束ねられてなることを特徴とするネイルカラー見本帳。
【請求項９】
請求項１〜４のいずれか一つの請求項に記載のネイルカラー見本帳において、
前記見本帳本体には、１シートごとに同一のトーンについての異なる色相を示す表示部が並べられ、
前記複数の見本帳本体は、前記１シートごとの表示部のトーンが互いに類似するものを順に重ねて束ねられてなることを特徴とするネイルカラー見本帳。
【請求項１０】
請求項１〜９のいずれか一つの請求項に記載のネイルカラー見本帳において、
ひとつに束ねられる複数の見本帳本体は、その束ごとに、前記表示部の見本色が、フォーシーズン分類に基づく春のグループ、夏のグループ、秋のグループ、および冬のグループにまとめられていることを特徴とするネイルカラー見本帳。
【発明の詳細な説明】
【技術分野】
【０００１】
本発明は、ネイルカラーを表示したネイルカラー見本帳に関する。
【背景技術】
【０００２】
手や足の爪を装飾する手法として、マニキュアのほか、光硬化性樹脂を含むネイル剤を用いるジェルネイルも広く知られている。このジェルネイルは、爪に塗布したジェル状のネイル剤を、光照射することによって硬化させ爪に一体化させるもので、マニキュア等のラッカーエナメルに比べて硬くて定着性がよく、傷もつきにくい特徴がある。そのため、ジェルネイルは光沢や発色を長期間保つことができ、爪の保護にも役立つうえ、美しくなった爪に満足感を得られることから、女性に好まれている。
【０００３】
例えば特許文献１には、ジェルネイルの一般的な施術方法が開示されている。通常、爪の表面や爪先の形状を整えた後、ベースジェル、カラージェル、トップジェルの順に各ネイル剤の塗布と硬化とを繰り返す。これらのネイル剤の塗布は、図６に示すように、始めに爪１０１の幅方向の中央に塗布し、次いで左側、右側と、爪１０１の長さ方向にネイル筆１０２を運んで、爪１０１全体に薄く均一に塗布するのがジェルネイルの一般的な手順とされている。
【０００４】
どのような色のネイル剤を塗布するかは、ネイルサロン等で施術者（ネイリスト）が被施術者である顧客から好みや希望などを聞きとり、その都度、数多くあるネイル剤の中から適切な色を選び出し、または複数のネイル剤を混合してイメージに合う色のネイル剤を作成するのが一般的である。また、多様な色や模様をネイルチップに施したネイルデザインのサンプルを参考にしたり、ネイルデザインの例を示す写真等を参考にしたりして、どのような色のネイル剤を塗布するかを決める場合もある。
【先行技術文献】
【特許文献】
【０００５】
【特許文献１】特開２０１５−１８９６６８号公報
【発明の概要】
【発明が解決しようとする課題】
【０００６】
複数のネイル剤を混合してイメージどおりの色を作成するのは容易ではないことから、施術者と被施術者がともに具体的な色を見て意図するイメージを確認し合うことが望ましい。しかしながら、ネイルチップや写真等のネイルカラーのサンプルの作成には時間がかかるうえ、その数にも限りがある。これに対して、ネイル剤を混合して作成し得る色の種類は膨大な数にのぼる。
【０００７】
例えば、単にピンク色といっても、青みがかったピンク色、黄みがかったピンク色といった色相の違いに加え、明度の高いペールトーン、ライトトーンから、ビビッドな純色のピンク色、くすんだピンク色など、多種類のピンク色が存在する。そのような膨大な数のネイルカラーから、施術すべき１色ないしは複数色のネイルカラーを決定するのに、施術者と被施術者との間での言葉のやりとりだけでは、十分に伝わりきらず、時間もかかるという問題点があった。そのため、施術者にも被施術者にもわかりやすく使い勝手のよい、ネイルカラーを選定するための簡便なツールが求められた。
【０００８】
また、肌の色や明るさは人それぞれ異なるので、単に好みのネイルカラーを提供するだけでなく、被施術者にとってどのような色のネイルカラーが似合うのか、どのようなネイルカラーであれば手指や足指が美しく見えるのか、といった判断材料や検討手段を提示できるようにすることも望まれた。
【０００９】
本発明は、上記のような事情にかんがみてなされたものであり、その目的とするところは、ネイル施術時に扱いやすく、塗布するネイル剤の色を決定するのに好適なネイルカラー見本帳を提供することにある。
【課題を解決するための手段】
【００１０】
前記の目的を達成するため、本発明は、ネイルカラーを表示したネイルカラー見本帳であって、シート状の複数の見本帳本体と、前記複数の見本帳本体をひとつに束ねる結束手段とを有し、前記見本帳本体には、ネイルカラーの見本色を示す複数の表示部が備えられ、前記表示部は人の爪形状を模した形を有しており、前記見本帳本体の辺縁部に沿って複数の表示部が並べられてなることを特徴とする。
【００１１】
この特定事項により、多数のネイルカラーの見本色を手にとって見ることができてネイル施術時に扱いやすく、また表示部を爪にあてがうことでネイルデザインのイメージを思い描きやすくなり、塗布するネイル剤の色を決定するのに好適に用いることができる。
【００１２】
前記ネイルカラー見本帳の具体的な構成として、前記表示部は、爪形状の根元側が前記見本帳本体の辺縁部に接して配置されるとともに長さ方向の中心線が前記辺縁部の稜線に対して傾くように配置されていることが好ましい。これにより、見本帳本体の表示部を爪にあてがいやすく配列することができる。
【００１３】
また、前記表示部は、前記見本帳本体の表面側に凸状に設けられており、該表示部の裏面側に指先があてがわれる凹部を備えて構成されてもよい。これにより、見本帳本体の凹部に指先を差し入れて、爪に塗布するネイルカラーのイメージを、より一層、思い描きやすくすることができる。
【００１４】
また、前記見本帳本体は地の部分が透明または半透明とされてもよい。これにより、表示部を爪にあてがったとき、表示部の周囲に指先が透けて見え、より具体的なイメージを思い描くことができる。
【００１５】
また、前記ネイルカラー見本帳において、ひとつに束ねられる複数の見本帳本体は、その束ごとに、前記表示部の見本色が、フォーシーズン分類に基づく春のグループ、夏のグループ、秋のグループ、および冬のグループの色としてまとめられた構成とすることで、被施術者に適したネイルカラーを個別に提案したり検討したりすることが可能となる。
【発明の効果】
【００１６】
本発明のネイルカラー見本帳は、ネイル施術時に扱い易く簡便であり、塗布するネイル剤の色を決定する判断材料や検討手段として好適に用いることができる。
【図面の簡単な説明】
【００１７】
【図１】本発明の実施形態１に係るネイルカラー見本帳を示す平面図である。
【図２】前記ネイルカラー見本帳の使用例を示す説明図である。
【図３】図３（ａ）〜図３（ｄ）は実施形態２に係るネイルカラー見本帳を示し、図３（ａ）は春のグループ、図３（ｂ）は夏のグループ、図３（ｃ）は秋のグループ、図３（ｄ）は冬のグループの見本帳本体をそれぞれ示す平面図である。
【図４】本発明の実施形態３に係るネイルカラー見本帳を示す平面図である。
【図５】本発明の実施形態４に係るネイルカラー見本帳を示す斜視図である。
【図６】その他の実施形態に係るネイルカラー見本帳を示す平面図である。
【図７】その他の実施形態に係るネイルカラー見本帳を示す平面図である。
【図８】一般的なネイル施術方法を示す説明図である。
【発明を実施するための形態】
【００１８】
以下、本発明の実施の形態に係るネイルカラー見本帳について、図面を参照しつつ説明する。
【００１９】
（実施形態１）
図１は、実施形態１に係るネイルカラー見本帳１を示す平面図である。ネイルカラー見本帳１は、シート状の複数枚の見本帳本体２と、複数枚の見本帳本体２をひとつに束ねる結束手段とを有している。
【００２０】
見本帳本体２は、短冊状のシート材であり、適度な厚みと柔軟性を有する印刷再現性の高い紙やプラスチックシート等からなる。見本帳本体２の結束手段として、見本帳本体２の一方の端部には、丸穴３が設けられるとともに、丸穴３に挿通させるリング４を備えている。複数枚の見本帳本体２は同じ向きに重ねられて、各丸穴３に挿通されたリング４によってひとつに束ねられる。
【００２１】
見本帳本体２には、ネイルカラーの見本色を示す表示部５が備えられている。見本帳本体２の地の部分（表示部５以外の部分）は白地とされている。表示部５は、見本帳本体２の辺縁部に沿って複数並べられている。各表示部５は、人の手指の爪形状を模した形を有し、人の指の爪の大きさおよび形状を象っている。
【００２２】
これらの表示部５は、見本帳本体２の長手方向に沿って並べられている。また、表示部５は、見本帳本体２の長手方向の辺縁部（稜線Ｌ）に接して爪形状の根元部が配置されるとともに、爪形状の先端部が見本帳本体２の一方向に傾けて配置されている。
【００２３】
図１に例示する見本帳本体２では、短尺帯状の見本帳本体２を横長に用いて、長手方向（左右方向）に５つの表示部５が均等な間隔で並べられている。見本帳本体２には、図１における右側に丸穴３が設けられており、リング４が挿通されている。表示部５は、爪形状の長さ方向の中心線が見本帳本体２の長手方向の辺縁部の稜線Ｌに対して傾くように配置され、図中左方向にやや傾いた配置形態とされている。
【００２４】
ネイルカラーの見本色は、一枚の見本帳本体２において、特定の色相について、異なる明度、異なる彩度、または異なるトーン、といった一定の規則性に基づいて５つの表示部５に示されている。例えば、図１に示す見本帳本体２では、同一の色相について、右側に配置された表示部５から左側に配置された表示部５へと順に高い明度の見本色が印刷されている。
【００２５】
これにより、一枚の見本帳本体２には、特定の色相についての異なる５種類のネイルカラーの見本色が示される。また、表示部５の配置形態は、甲を上に向けた左手を体の前に差し出したときの手指および爪の傾き状態に近いものとされている。
【００２６】
図２に示すように、ネイルカラー見本帳１から特定の色相を表示した一枚の見本帳本体２を選び出し、見本帳本体２を右手に持って、左手の爪にあてがう。左手の爪に見本帳本体２の表示部５をあてがうと、ちょうど手指の向きに沿うように複数の表示部５が並ぶこととなる。このため、無理なく自然な姿勢で見本帳本体２の表示部５を自身の手指にあてがってみることができる。
【００２７】
このようにして、どのようなネイルカラーを選択するかを検討する際に、ネイルカラー見本帳１をただ単に眺めるだけでなく、選択した一枚の見本帳本体２を指先にあてがうことで、複数の表示部５をひとつずつ爪に重ね合わせながら望ましいネイルカラーを選んだり、適当な色であるかどうか等を判断したりすることができる。
【００２８】
ネイルカラーの選定にあたっては、同系統の色相について複数の異なる見本色を見比べられることが好ましい場合がある。そのため、一枚の見本帳本体２に示す色相は、同一色相とされるだけでなく、例えば類似色相について異なる明度や異なる彩度の見本色とされてもよい。
【００２９】
つまり、ひとつのネイルカラー見本帳１に示されるネイルカラーの見本色は、次のいずれかのような一定の規則性をもって見本帳本体２の表示部５に示されていることが好ましい。
（１）表示部５の見本色は、一枚の見本帳本体２ごとに特定の色相または類似する色相について異なる明度の色が並べられてなる。この場合、見本帳本体２の辺縁部（稜線Ｌ）は明度軸に相当し、表示部５の配列方向に低明度または高明度とされる。
（２）表示部５の見本色は、一枚の見本帳本体２ごとに特定の色相または類似する色相について異なる彩度の色が並べられてなる。この場合、見本帳本体２の辺縁部（稜線Ｌ）は彩度軸に相当し、表示部５の配列方向に低彩度または高彩度とされる。
（３）表示部５の見本色は、一枚の見本帳本体２ごとに特定の色相または類似する色相について異なるトーンの色が並べられてなる。この場合、見本帳本体２の辺縁部（稜線Ｌ）は色調軸に相当し、隣り合う表示部５に類似トーンの色が配列される。
【００３０】
ネイルカラーの見本色を示す表示部５に対して、その地となる見本帳本体２のシート材は、色彩を視認しやすい白色であることが好ましい。見本帳本体２をプラスチックシート等にて構成する場合には、見本帳本体２を透明または半透明のプラスチックシート材を用いて構成して、表示部５の色彩をより際立たせるようにしてもよい。見本帳本体２が透明または半透明であることにより、表示部５を指先にあてがったとき、肌の色が表示部５の周囲に透けて見え、似合う色であるか、あるいはイメージどおりの色であるかといった検討をしやすくなり、ネイルカラーの選択および決定により一層役立つ。
【００３１】
複数枚の見本帳本体２は、色相が類似するシート同士を重ね合わせて端部の一箇所で束ねられ、ひとつのネイルカラー見本帳１としてまとめられている。見本帳本体２の丸穴３を中心として、複数枚の見本帳本体２を扇状に拡げることができ、拡げた見本帳本体２には同一半径の周上に複数の表示部５が互いに類似する色相のグラデーションで並ぶこととなる。これにより、多数の見本色の中から好ましい色を容易に選択することが可能となる。選択された見本色に基づいて、施術者はネイル剤を選定し、または複数のネイル剤を混合して塗布するネイルカラーを容易に作成することができる。
【００３２】
また、かかる見本帳本体２には、同一の明度または彩度についての異なる色相を示す表示部５が配列され、表示部５の明度または彩度の高低順に複数枚の見本帳本体２が重ねて束ねられてネイルカラー見本帳１が構成されてもよい。
【００３３】
なお、表示部５にはネイルカラーの見本色を印刷によって表示するが、プラスチックシート材からなる見本帳本体２であれば、印刷に限らず実際のネイル剤等を用いて見本色を示してもよい。結束手段としては、丸穴３とリング４とを備えるに限らず、種々の止め具や綴じ具等のどのような結束手段を用いてもよく、複数枚の見本帳本体２が製本されてもよい。
【００３４】
（実施形態２）
図３（ａ）〜図３（ｂ）は、実施形態２に係るネイルカラー見本帳１を構成する見本帳本体２の他の例をそれぞれ示す平面図である。以下に示すネイルカラー見本帳１の実施形態では、基本的な構成が前記実施形態１と共通していることから、各構成部材の詳細な説明を省略し、当該形態に特有の構成について詳述する。
【００３５】
この形態では、短尺帯状の見本帳本体２に、長手方向の辺縁部に沿って、５つの表示部５が配列されている。これらの５つの表示部５も、手を自然に差し出したときの指先の状態に近似させて配列されている。
【００３６】
ネイルカラーには、もともとの爪の色や肌の色によって、似合う色と似合わない色とがあると考えられる。つまり、人には肌、髪、目、口の色など外見的な色の特徴に基づいてその人自身に調和しやすい色のグループが存在する。これは一般にパーソナルカラーともいわれており、爪の色においても指先や手の甲の肌色に基づいて、その人に調和して美しく見える色がある。
【００３７】
見本帳本体２の表示部５に示されているネイルカラーの見本色は、一定の規則性をもって表示されている。図３（ａ）〜図３（ｄ）に示す例にあっては、ひとつの束のネイルカラー見本帳１ごとに、グループ化されたネイルカラーの見本色を集めて構成されている。
【００３８】
具体的には、ネイルカラー見本帳１ごとに、表示部５に示すネイルカラーの見本色を、パーソナルカラーにおけるフォーシーズン分類にグループ化して構成している。かかるネイルカラー見本帳１の一例として、図３（ａ）は春のグループ（Ｓｐｒｉｎｇ）、図３（ｂ）は夏のグループ（Ｓｕｍｍｅｒ）、図３（ｃ）は秋のグループ（Ａｕｔｕｍｕｎ）、図３（ｄ）は冬のグループ（Ｗｉｎｔｅｒ）にまとめられる見本帳本体２をそれぞれ示している。これらには、各グループに属するネイルカラーの見本色が表示されている。そして、これらの４種類のネイルカラー見本帳１が一組のセットとして構成されている。
【００３９】
各グループに属するネイルカラーの見本色の数は、例えば、春のグループでは３９色、夏のグループでは４３色、秋のグループでは４１色、冬のグループでは３６色と、それぞれ異なる。したがって、グループごとにネイルカラー見本帳１としてまとめられる見本帳本体２の枚数は異なる。
【００４０】
例えば、図３（ｂ）に示す一枚の見本帳本体２では、夏のグループに属するネイルカラーの見本色のうちの１色が５つの表示部５に示されている。すなわち、この形態では、表示部５は５つとも同じネイルカラーの見本色を示している。特定の色相について、明度または彩度を異ならせると、異なるグループに属するネイルカラーとなるからである。
【００４１】
フォーシーズン分類は、ひとつに、赤、橙、黄、緑、青、紫などの色相を、アンダートーン、明度、彩度、清濁の観点から、それぞれ春、夏、秋、冬の４つのグループの見本色に分類したものである。ネイルカラーを選択する際にも、かかるパーソナルカラーにおけるフォーシーズン分類に基づいて、４種類のいずれかのグループのネイルカラー見本帳１を被施術者ごとに選択することができる。
【００４２】
選択されたネイルカラー見本帳１に集められたネイルカラーは、被施術者に似合う色であり、その中から好ましい色を爪にあてがいながら選択していくことができる。加えて、選択されたネイルカラーは、被施術者に似合う色であるだけでなく、爪および手足をより一層美しく見せ、多くの人に好まれやすく、好印象を与えるネイルデザインを形成することが可能となる。なお、パーソナルカラーの診断方法あっては、種々提案されている公知の方法に委ねることができる。
【００４３】
（実施形態３）
図４（ａ）および図４（ｂ）は、実施形態３に係る一組のネイルカラー見本帳１を示す平面図である。
【００４４】
ネイルカラー見本帳１において、一枚の見本帳本体２に配置する表示部５の数は、４つまたは５つであるに限られず、より多くの表示部５が備えられてもよい。これによって、より細やかな色の違いを一枚の見本帳本体２で示すことが可能となる。
【００４５】
図４（ａ）および図４（ｂ）に示すように、実施形態３に係るネイルカラー見本帳１は、一枚の見本帳本体２に１２の表示部５を備えて構成されている。これらの１２の表示部５には、同一（または同系）のトーンについての異なる色相が示されている。表示部５に示される色相は、ブルー、ブルーグリーン、グリーン、イエローグリーン、イエロー、イエローオレンジ、オレンジ、レッドオレンジ、レッド、レッドバイオレット、バイオレット、ブルーバイオレットの１２色であり、隣り合う色相はかかる順に規定されている。
【００４６】
例えば、図４（ａ）に示す見本帳本体２には、同じペールトーン（Ｐａｌｅ  Ｔｏｎｅ）内の色である１２色の色相が順に並べられており、図４（ｂ）に示す見本帳本体２には、図４（ａ）とは対極に位置するダークグレイッシュトーン（Ｄａｒｋ  Ｇｒａｙｉｓｈ    Ｔｏｎｅ）内の色である１２色の色相が順に並べられている。これにより、一枚の見本帳本体２には、１２の表示部５に明度および彩度が近似した類似する色相が隣り合って配置されている。
【００４７】
ネイルカラー見本帳１としてひとつに束ねられる複数枚の見本帳本体２は、表示部５のトーンレベルの互いに類似するもの同士が順に重ねられて、束ねられている。具体的には、ネイルカラー見本帳１には、見本帳本体２ごとの表示部５のトーンについて、ベリーペールトーン（ｖｐ）、ペールトーン（ｐ）、ペールグレイッシュトーン（ｐｇ）、ミドルグレイッシュトーン（ｍｇ）、ライトグレイッシュトーン（ｌｔｇ）、ライトトーン（ｌｔ）、ソフトトーン（ｓｆ）、ブライトトーン（ｂ）、ビビッドトーン（ｖ）、ストロングトーン（ｓ）、ディープトーン（ｄｐ）、ダルトーン（ｄ）、ダークトーン（ｄｋ）、グレイッシュトーン（ｇ）、ベリーグレイッシュトーン（ｖｇ）、ダークグレイッシュトーン（ｄｋｇ）、ベリーダークトーン（ｖｄｋ）といった順に、互いに類似する１７種類のトーンが重なり合うようにして束ねられている。これにより、ネイルカラー見本帳１の一番上に重ねられた見本帳本体２の表示部５と、一番下に重ねられた見本帳本体２の表示部５とは、トーンレベルが対照の関係の配色となる。
【００４８】
図示する形態では、異なる２つのネイルカラー見本帳１を示している。これらのネイルカラー見本帳１は、一方は、上から順にベリーペールトーン、ペールトーン、ペールグレイッシュトーン、…ダークグレイッシュトーン、ベリーダークトーン、と徐々に低明度・低彩度のトーンレベルとなるように見本帳本体２が束ねられ、他方は、これとは逆順で、ベリーダークトーンからベリーペールトーンへと、徐々に高明度・高彩度のトーンレベルとなるように見本帳本体２が束ねられている。すなわち、２つのネイルカラー見本帳１は、それぞれ逆順のトーンレベルの重ね方で複数枚の見本帳本体２が束ねられている。
【００４９】
これらの２つのネイルカラー見本帳１は、図示するように、同数枚目の見本帳本体２を上下に並べたとき、ネイルカラーの見本色が上下でそれぞれ反対色（対比色）を示すように１２の表示部５が配列されている。すなわち、図４（ａ）の見本帳本体２における左端の表示部５が示すネイルカラーの見本色は、図４（ｂ）の見本帳本体２における左端の表示部５が示すネイルカラーの見本色の反対色とされている。
【００５０】
このように構成されることから、これらの２つのネイルカラー見本帳１を一組のセットとして同時に用いることで、互いに同枚数目の見本帳本体２において、トーンが対照の関係となる色相を並べて見比べたり、トーンが類似の関係の色相を並べて見比べたりすることができる。また、当該色相の反対色を直ちに見つけることもできる。そのため、ネイルデザインを考えたり検討したりする際に大いに役立つ。
【００５１】
一般には、トーンレベルが対照の関係または類似の関係にある色相の配色は調和され、トーン差が大きい色相や反対色同士は目立たせたり際立たせたりする作用がある。したがって、施術しようとする複数のネイルカラーを選択する際に、かかる一組のネイルカラー見本帳１を好適に用いることができ、ネイルデザインを決定する際の具体的なイメージ作りにも役立つ。
【００５２】
なお、ネイルカラー見本帳１において、見本帳本体２の表示部５には、同一の明度または彩度についての異なる色相が示されてもよい。この場合、表示部５の明度または彩度の高低順に複数枚の見本帳本体２が重ねて束ねられて、ひとつのネイルカラー見本帳１が構成される。
【００５３】
（実施形態４）
図５（ａ）および図５（ｂ）は、実施形態４に係るネイルカラー見本帳１を示す平面図である。
【００５４】
前記実施形態では、利き手が右手である場合を考慮して見本帳本体２の右端にリング４を設けているが、これとは逆に左端にリング４が設けられて、表示部５に対して右手（または右足）をあてがうように形成されてもよい。この場合、図５各図に示すように、表示部５の傾きも前述した形態とは反対側に傾けて配置される。
【００５５】
見本帳本体２には表示部５が４つ配列されている。右手の爪に見本帳本体２の表示部５をあてがうと、右手の親指を除く４本の指先があたかも見本帳本体２の辺縁部に沿って置かれているかのように表示部５が並べられている。
【００５６】
これらの４つの表示部５には、日本人の肌に合うネイルカラーの見本色が示されている。図５（ａ）に示すネイルカラー見本帳１ではベージュトーングループに属するネイルカラーの見本色がまとめられ、図５（ｂ）に示すネイルカラー見本帳１ではグレイトーングループに属するネイルカラーの見本色がまとめられている。
【００５７】
ベージュトーングループのネイルカラーの見本色は、ビビットトーンの色相にベージュを加えた色味であり、グレイトーングループのネイルカラーの見本色は、ビビットトーンの色相にグレイを加えた色味である。各見本帳本体２には、４つの表示部に、ベージュトーングループまたはグレイトーングループに属する特定の色相の見本色が、トーンの濃淡とともに示されている。
【００５８】
例えば、図５（ａ）に示す見本帳本体２には、ベビーピンクのネイルカラーの見本色が、左側の表示部５から右側の表示部５ほどトーンが薄くなるように配置されている。図５（ｂ）に示す見本帳本体２には、ローズグレイのネイルカラーの見本色が、同様にトーンを違えて配置されている。
【００５９】
これらのネイルカラー見本帳１に示された見本色は、日本人の肌色に馴染みやすく、肌を明るく美しく見せる効果があるが、言葉では言い表しにくい色味でもある。そのため、施術するネイルカラーを選択し決定する際に、かかるネイルカラー見本帳１を用いることで容易にイメージに合うネイルカラーを選び出すことができ、しかも日本人の指先を綺麗に見せる効果を奏し、施術者からの提案や被施術者の要望に添うネイルカラーを両者の間で容易に共有することが可能となる。
【００６０】
（その他の実施形態）
その他の実施形態として、図６に示すネイルカラー見本帳１では、見本帳本体２の表示部５に色彩が施されておらず、表示部５のアウトラインだけが描かれている。このような見本帳本体２は、ネイルカラー見本帳１に予備シートとして加えられることが好ましい。
【００６１】
これにより、ネイルカラーの見本色を追加する際や新たな見本色を形成した際に、該表示部５に塗布または印刷し、ネイルカラー見本帳１を構成する複数枚の見本帳本体２の一部とすることができる。あるいは、ラメやグリッター等の装飾要素が表示部５に表示されてもよい。
【００６２】
図７に示すネイルカラー見本帳１は、見本帳本体２の表示部５が立体的に設けられている。ネイルカラー見本帳１は、前記実施形態と同様に、図示しない複数枚の見本帳本体２が重ねられてリング４により束ねられている。
【００６３】
この場合、表示部５は、見本帳本体２の表面側に凸状となるように、人の爪形状を模した曲面状に設けられ、見本帳本体２の左側に傾けて配置されている。表示部５の裏面側には、窪んだ爪形状の凹部６が形成されている。これにより、指先を見本帳本体２の裏面側の凹部６に差し入れて、表示部５を指先にあてがうことができる。
【００６４】
表示部５には、前記実施形態と同様に一定の規則性をもってネイルカラーの見本色が表示されるほか、例えば、複数のネイルカラーの見本色を含み、ネイルデザインの具体的な柄や模様等が施されてもよい。また、表示部５は、その凸状の表面に、スタッズや人工石等の装飾パーツが取り付けられて立体的なネイルデザインのサンプルとして形成されてもよい。
【００６５】
表示部５が多様な色彩から構成されるのに対して、地となる見本帳本体２は透明、半透明、または白色とされることが好ましい。見本帳本体２を透明または半透明のプラスチックシート材を用いて構成した場合には、表示部５を見本帳本体２の表面側に凸状となるように一体成形する。見本帳本体２が透明または半透明であることによって、指先を凹部６に差し入れたとき、肌の色が表示部５の周囲に透けて見えるとともに、表示部５が自身の爪に重なり合うように見える。これによって、より一層ネイルカラーを検討したり選択したりしやすくなり、具体的なイメージを施術者と被施術者との間で共有することができる。
【００６６】
以上のとおり、本発明に係るネイルカラー見本帳１は、ネイル施術時に扱い易く簡便であり、塗布するネイル剤の色を決定する判断材料や検討手段として好適に用いることができる。なお、ネイルカラー見本帳１において表示部５に示すネイルカラーの見本色は、前記実施形態にて説明した色に限定されるものではなく、他のどのようなネイルカラーの見本色が示されていてもよい。
【産業上の利用可能性】
【００６７】
本発明は、爪へのジェルネイルの施術に好適に利用可能である。
【符号の説明】
【００６８】
１  ネイルカラー見本帳
２  見本帳本体
３  丸穴
４  リング
５  表示部
６  凹部
【図１】
2017189443.tif 000003
【図２】
2017189443.tif 000004
【図３】
2017189443.tif 000005
【図４】
2017189443.tif 000006
【図５】
2017189443.tif 000007
【図６】
2017189443.tif 000008
【図７】
2017189443.tif 000009
【図８】
2017189443.tif 000010
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
ネイルカラーを表示したネイルカラー見本帳であって、
シート状の複数の見本帳本体と、前記複数の見本帳本体をひとつに束ねる結束手段とを有し、
前記見本帳本体には、ネイルカラーの見本色を示す複数の表示部が備えられ、
前記表示部は人の爪形状を模した形を有し、前記見本帳本体の辺縁部に沿って複数の表示部が並べられ、
前記表示部は、爪形状の根元側が前記見本帳本体の辺縁部に接して配置されるとともに長さ方向の中心線が前記辺縁部の稜線に対して傾くように配置されていることを特徴とするネイルカラー見本帳。
【請求項２】
ネイルカラーを表示したネイルカラー見本帳であって、
シート状の複数の見本帳本体と、前記複数の見本帳本体をひとつに束ねる結束手段とを有し、
前記見本帳本体には、ネイルカラーの見本色を示す複数の表示部が備えられ、前記表示部は人の爪形状を模した形を有し、
前記複数の表示部は見本帳本体の辺縁部に沿って並べられ、
前記表示部には、見本帳本体の１シートごとに同一の明度または彩度についての異なる色相が示され、
前記複数の見本帳本体は、前記１シートごとの表示部の明度または彩度の高低順に重ねて束ねられてなることを特徴とするネイルカラー見本帳。
【請求項３】
ネイルカラーを表示したネイルカラー見本帳であって、
シート状の複数の見本帳本体と、前記複数の見本帳本体をひとつに束ねる結束手段とを有し、
前記見本帳本体には、ネイルカラーの見本色を示す複数の表示部が備えられ、前記表示部は人の爪形状を模した形を有し、
前記見本帳本体の辺縁部に沿って複数の表示部が並べられ、
前記表示部には、見本帳本体の１シートごとに同一のトーンについての異なる色相が示され、
前記複数の見本帳本体は、前記１シートごとの表示部のトーンが互いに類似するものを順に重ねて束ねられてなることを特徴とするネイルカラー見本帳。
【請求項４】
請求項１に記載のネイルカラー見本帳において、
前記見本帳本体には、１シートごとに同一色相または類似色相についての異なるトーン色を示す表示部が並べられてなることを特徴とするネイルカラー見本帳。
【請求項５】
請求項１に記載のネイルカラー見本帳において、
前記見本帳本体には、１シートごとに同一色相または類似色相についての異なる明度色を示す表示部が並べられてなることを特徴とするネイルカラー見本帳。
【請求項６】
請求項１に記載のネイルカラー見本帳において、
前記見本帳本体には、１シートごとに同一色相または類似色相についての異なる彩度色を示す表示部が並べられてなることを特徴とするネイルカラー見本帳。
【請求項７】
請求項２または３に記載のネイルカラー見本帳において、
前記表示部は、爪形状の根元側が前記見本帳本体の辺縁部に接して配置されるとともに長さ方向の中心線が前記辺縁部の稜線に対して傾くように配置されていることを特徴とするネイルカラー見本帳。
【請求項８】
請求項１〜７のいずれか一つの請求項に記載のネイルカラー見本帳において、
前記表示部は、前記見本帳本体の表面側に凸状に設けられており、該表示部の裏面側に指先があてがわれる凹部を備えることを特徴とするネイルカラー見本帳。
【請求項９】
請求項１〜８のいずれか一つの請求項に記載のネイルカラー見本帳において、
前記見本帳本体は地の部分が透明または半透明とされたことを特徴とするネイルカラー見本帳。
【請求項１０】
請求項１〜９のいずれか一つの請求項に記載のネイルカラー見本帳において、
ひとつに束ねられる複数の見本帳本体は、その束ごとに、前記表示部の見本色が、フォーシーズン分類に基づく春のグループ、夏のグループ、秋のグループ、および冬のグループにまとめられていることを特徴とするネイルカラー見本帳。 
【手続補正２】
【補正対象書類名】明細書
【補正対象項目名】００１０
【補正方法】変更
【補正の内容】
【００１０】
前記の目的を達成するため、本発明は、ネイルカラーを表示したネイルカラー見本帳であって、シート状の複数の見本帳本体と、前記複数の見本帳本体をひとつに束ねる結束手段とを有し、前記見本帳本体には、ネイルカラーの見本色を示す複数の表示部が備えられ、前記表示部は人の爪形状を模した形を有しており、前記見本帳本体の辺縁部に沿って複数の表示部が並べられてなる。さらに前記表示部は、爪形状の根元側が前記見本帳本体の辺縁部に接して配置されるとともに長さ方向の中心線が前記辺縁部の稜線に対して傾くように配置されていることを特徴とする。 
【手続補正３】
【補正対象書類名】明細書
【補正対象項目名】００１１
【補正方法】変更
【補正の内容】
【００１１】
この特定事項により、多数のネイルカラーの見本色を手にとって見ることができてネイル施術時に扱いやすく、また表示部を爪にあてがうことでネイルデザインのイメージを思い描きやすくなり、塗布するネイル剤の色を決定するのに好適に用いることができる。また、見本帳本体の表示部は、爪にあてがいやすく配列されており、扱いやすいものとすることができる。
【手続補正４】
【補正対象書類名】明細書
【補正対象項目名】００１２
【補正方法】変更
【補正の内容】
【００１２】
また、本発明は、ネイルカラーを表示したネイルカラー見本帳であって、シート状の複数の見本帳本体と、前記複数の見本帳本体をひとつに束ねる結束手段とを有し、前記見本帳本体には、ネイルカラーの見本色を示す複数の表示部が備えられ、前記表示部は人の爪形状を模した形を有し、前記複数の表示部は見本帳本体の辺縁部に沿って並べられてなり、前記表示部には、見本帳本体の１シートごとに同一の明度または彩度についての異なる色相が示され、前記複数の見本帳本体は、前記１シートごとの表示部の明度または彩度の高低順に重ねて束ねられてなることを特徴とする。あるいはまた、前記表示部には、見本帳本体の１シートごとに同一のトーンについての異なる色相が示され、前記複数の見本帳本体は、前記１シートごとの表示部のトーンが互いに類似するものを順に重ねて束ねられてなることを特徴とする。